(57)【要約】【課題】ＣＤＭＡセルにＷＣＤＭＡビーコンセルを設け、ＷＣＤＭＡ網からＣＤＭＡ網へのハンドオーバーを効果的に行うことのできるハンドオーバー方法を実現する。【解決手段】移動通信端末機５０、ＷＣＤＭＡ網のＲＮＣ４０及びＣＤＭＡ網のＢＳＣ２０で構成されたシステムにおけるＷＣＤＭＡ網からＣＤＭＡ網へのハンドオーバー方法は、ＲＮＣ４０が、ＲＮＣ４０に属するＷＣＤＭＡセルとビーコンセルに対するセルパワー測定を命令する測定制御メッセージを移動通信端末機５０に伝送する段階（Ｓ１００）と、移動通信端末機５０が前記ＷＣＤＭＡセル及びビーコンセルに対するセルパワーを測定した後に（Ｓ１１０）、測定レポートメッセージをＲＮＣ４０に伝送する段階（Ｓ１２０）と、ＲＮＣ４０が前記伝送された測定レポートメッセージに従いこれ以上受信可能なＷＣＤＭＡセルが存在しない場合にはＣＤＭＡセルへのハンドオーバーを決定する段階（Ｓ１３０）とを含む。【選択図】図１
2007135188.tif 000002
【特許請求の範囲】
【請求項１】
移動通信端末機とＷＣＤＭＡ網のＲＮＣとＣＤＭＡ網のＢＳＣとを含むシステムにおけるＷＣＤＭＡ網からＣＤＭＡ網へのハンドオーバー方法であって、
前記ＲＮＣが、前記ＲＮＣに属するＷＣＤＭＡセル及びビーコンセルに対するセルパワー測定を命令する測定制御メッセージを前記移動通信端末機に伝送する段階と、
前記移動通信端末機が前記ＷＣＤＭＡセル及びビーコンセルに対するセルパワーを測定した後に測定レポートメッセージを前記ＲＮＣに伝送する段階と、
前記ＲＮＣが前記伝送された測定レポートメッセージに従いこれ以上受信可能なＷＣＤＭＡセルが存在しない場合にはＣＤＭＡセルへのハンドオーバーを決定する段階とを含むことを特徴とするＷＣＤＭＡ網からＣＤＭＡ網へのハンドオーバー方法。
【請求項２】
前記ビーコンセルの基地局は、前記ＣＤＭＡセルの基地局に位置することを特徴とする請求項１に記載のＷＣＤＭＡ網からＣＤＭＡ網へのハンドオーバー方法。
【請求項３】
前記ビーコンセルは前記ＣＤＭＡセルと同一のセルパワーで伝送することを特徴とする請求項１に記載のＷＣＤＭＡ網からＣＤＭＡ網へのハンドオーバー方法。
【請求項４】
前記ビーコンセルは第１共通パイロットチャンネル（ＰＣＰＩＣＨ）、第１シンクチャンネル（ＰＳＣＨ）、第２シンクチャンネル（ＳＳＣＨ）及び第１共通制御物理チャンネル（ＰＣＣＰＣＨ）を伝送することを特徴とする請求項１に記載のＷＣＤＭＡ網からＣＭＤＡ網へのハンドオーバー方法。
【請求項５】
前記ＲＮＣが前記ＢＳＣにチャンネル設定を求める段階と、
前記ＢＳＣが特定チャンネルを設定した後にチャンネル設定情報を前記ＲＮＣに伝送する段階と、
前記ＲＮＣが前記ＢＳＣから受けた情報を、ハンドオーバー命令メッセージを介して、前記移動通信端末機に伝送する段階と、
前記移動通信端末機が前記ハンドオーバー命令メッセージに従いＣＤＭＡチャンネルを設定し、前記ＣＤＭＡセルに同期を合わせる段階と、
前記移動通信端末機が同期を合わせた後にハンドオーバー終了メッセージを前記ＢＳＣに伝送する段階とをさらに含むことを特徴とする請求項１に記載のＷＣＤＭＡ網からＣＤＭＡ網へのハンドオーバー方法。
【請求項６】
ＷＣＤＭＡ網からＣＤＭＡ網へのハンドオーバーを行う移動通信端末機において、
前記ＷＣＤＭＡ網から伝送される信号を受信して処理し、前記ＷＣＤＭＡ網へ信号を伝送するＷＣＤＭＡ送／受信部と、
前記ＣＤＭＡ網から伝送される信号を受信して処理し、前記ＣＤＭＡ網へ信号を伝送するＣＤＭＡ受信部と、
前記ＷＣＤＭＡ網から前記ＣＤＭＡ網へのハンドオーバーを行うよう、前記ＷＣＤＭＡ送／受信部及び前記ＣＤＭＡ送／受信部を制御する制御部とを含み、
前記ＷＣＤＭＡ送／受信部は、ＣＤＭＡセルに位置するビーコンセルに対するセルパワーを測定することができることを特徴とする移動通信端末機。
【請求項７】
前記ＷＣＤＭＡ送／受信部及びＣＤＭＡ送／受信部が、ＲＦ送／受信部と、セル探索部と、フィンガー部とを備えることを特徴とする請求項６に記載の移動通信端末機。
【請求項８】
前記制御部は、ＷＣＤＭＡセルと前記ビーコンセルに対するセルパワー測定を命令する測定制御メッセージに従ってセルパワーを測定するように制御することを特徴とする請求項６に記載の移動通信端末機。
【請求項９】
前記制御部は、ＷＣＤＭＡセル及び前記ビーコンセルに対するセルパワーを測定した後で測定レポートメッセージをＲＮＣに伝送するように制御することを特徴とする請求項６に記載の移動通信端末機。
【請求項１０】
前記制御部は、受信したハンドオーバー命令メッセージに従ってＣＤＭＡチャンネルを設定し、前記ＣＤＭＡセルに同期を合わせるように制御することを特徴とする請求項６に記載の移動通信端末機。
【請求項１１】
前記制御部は、前記ＣＤＭＡセルに同期を合わせた後にハンドオーバー終了メッセージをＢＳＣに伝送するように制御することを特徴とする請求項６に記載の移動通信端末機。
【発明の詳細な説明】
【技術分野】
【０００１】
本発明は、ＷＣＤＭＡ網からＣＤＭＡ網へのハンドオーバー方法及びハンドオーバーを行う移動通信端末機に関するものであり、特にＣＤＭＡセルにＷＣＤＭＡビーコンセルを設けて移動通信端末機がＷＣＤＭＡビーコンセルのパワー測定を介しＣＤＭＡセルのパワーを間接的に測定することにより、ハンドオーバーを効果的に行う技術に関する。
【背景技術】
【０００２】
ハンドオーバー（handover）は、移動通信端末機が現在のセルから他のセルに移動していくとき、現在のセルの通話チャンネルを他のセルの通話チャンネルに自動的に転換させることにより、通話が絶え間なく持続されるようにする機能をいう。一般に、通話チャンネルの転換方法は次の通りである。先ず、現在のセルの基地局が通話チャンネルの受信電界強度（ＲＳＳＩ）を測定し、規定レベル以下に落ち始めると交換機に知らせる。そして、交換機は予め指定された近接グループ目録上の可用チャンネルを探して通話チャンネルを転換することになる。
【０００３】
ハンドオーバーは、同一の無線接続方式（Radio Access Technology、ＲＡＴ）を用いるセル間だけでなく他の無線接続方式を用いるセル間、例えばＣＤＭＡ網とＷＣＤＭＡ網のセル間でもなされる。
【０００４】
特に、他の無線接続方式を用いるセル間にハンドオーバーがなされる場合、他の無線接続方式のセルパワーを測定する方法が問題となる。若し、他の無線接続方式のセルパワーを測定できずブラインドハンドオーバーを行うことになれば、呼接続が切断される可能性が高い。
【０００５】
しかし、現在の３ＧＰＰ標準下においてＷＣＤＭＡセルからＣＤＭＡセルにハンドオーバーを行うときに、ＣＤＭＡセルのパワーを推定した情報をレポートする方法がない。即ち、３ＧＰＰ標準では、前記レポーティングのためのフィールドが定義されていない。従って、ＣＤＭＡが主流である通信環境でＷＣＤＭＡが活性化されるのに限界がある。
【発明の開示】
【発明が解決しようとする課題】
【０００６】
本発明は、上記問題点に鑑みてなされたものであり、その目的は、ＣＤＭＡセルにＷＣＤＭＡビーコンセルを設け、移動通信端末機がＷＣＤＭＡビーコンセルのパワー測定を介しＣＤＭＡセルのパワーを間接的に測定することにより、ＷＣＤＭＡ網からＣＤＭＡ網へのハンドオーバーを効果的に行うことにある。
【課題を解決するための手段】
【０００７】
本発明に係るＷＣＤＭＡ網からＣＤＭＡ網へのハンドオーバー方法は、移動通信端末機、ＷＣＤＭＡ網のＲＮＣ及びＣＤＭＡ網のＢＳＣで構成されたシステムにおけるＷＣＤＭＡ網からＣＤＭＡ網へのハンドオーバー方法において、前記ＲＮＣが、前記ＲＮＣに属するＷＣＤＭＡセルとビーコンセルに対するセルパワー測定を命令する測定制御メッセージを前記移動通信端末機に伝送する段階と、前記移動通信端末機が前記ＷＣＤＭＡセル及びビーコンセルに対するセルパワーを測定した後、測定レポートメッセージを前記ＲＮＣに伝送する段階と、前記ＲＮＣが前記伝送された測定レポートメッセージに従いこれ以上受信可能なＷＣＤＭＡセルが存在しない場合、ＣＤＭＡセルへのハンドオーバーを決定する段階とを含むことを特徴としている。
【０００８】
また、本発明に係るＷＣＤＭＡ網からＣＤＭＡ網へのハンドオーバー方法において、前記ビーコンセルの基地局が前記ＣＤＭＡセルの基地局に位置するようにしてもよい。
【０００９】
また、本発明に係るＷＣＤＭＡ網からＣＤＭＡ網へのハンドオーバー方法において、前記ビーコンセルが前記ＣＤＭＡセルと同一のセルパワーで伝送するようにしてもよい。
【００１０】
また、本発明に係るＷＣＤＭＡ網からＣＭＤＡ網へのハンドオーバー方法において、前記ビーコンセルが、第１共通パイロットチャンネル（ＰＣＰＩＣＨ）、第１シンクチャンネル（ＰＳＣＨ）、第２シンクチャンネル（ＳＳＣＨ）及び第１共通制御物理チャンネル（ＰＣＣＰＣＨ）を伝送することを特徴としてもよい。
【００１１】
また、本発明に係るＷＣＤＭＡ網からＣＭＤＡ網へのハンドオーバー方法において、前記ＲＮＣは、前記ＢＳＣにチャンネル設定を求める段階と、前記ＢＳＣが特定チャンネルを設定した後にチャンネル設定情報を前記ＲＮＣに伝送する段階と、前記ＲＮＣが前記ＢＳＣから受けた情報を、ハンドオーバー命令メッセージを介して前記移動通信端末機に伝送する段階と、前記移動通信端末機が前記ハンドオーバー命令メッセージに従ってＣＤＭＡチャンネルを設定し、前記ＣＤＭＡセルに同期を合わせる段階と、前記移動通信端末機が同期を合わせた後にハンドオーバー終了メッセージを前記ＢＳＣに伝送する段階とをさらに含む構成でもよい。
【００１２】
また、本発明に係る移動通信端末機は、ＷＣＤＭＡ網からＣＤＭＡ網へのハンドオーバーを行う移動通信端末機において、前記ＷＣＤＭＡ網から伝送される信号を受信して処理し、前記ＷＣＤＭＡ網へ信号を伝送するＷＣＤＭＡ送／受信部と、前記ＣＤＭＡ網から伝送される信号を受信して処理し、前記ＣＤＭＡ網へ信号を伝送するＣＤＭＡ受信部と、前記ＷＣＤＭＡ網から前記ＣＤＭＡ網へのハンドオーバーを行うよう、前記ＷＣＤＭＡ送／受信部及び前記ＣＤＭＡ送／受信部を制御する制御部とを含み、前記ＷＣＤＭＡ送／受信部はＣＤＭＡセルに位置するビーコンセルに対するセルパワーを測定することができることを特徴としている。
【００１３】
また、本発明に係る移動通信端末機における前記ＷＣＤＭＡ送／受信部及びＣＤＭＡ送／受信部が、それぞれＲＦ送／受信部とセル探索部とフィンガー部とを備える構成でもよい。
【００１４】
また、本発明に係る移動通信端末機における前記制御部は、ＷＣＤＭＡセルと前記ビーコンセルに対するセルパワー測定を命令する測定制御メッセージに従ってセルパワーを測定するように制御してもよい。
【００１５】
また、本発明に係る移動通信端末機における前記制御部は、ＷＣＤＭＡセル及び前記ビーコンセルに対するセルパワーを測定した後に測定レポートメッセージをＲＮＣに伝送するように制御してもよい。
【００１６】
また、本発明に係る移動通信端末機における前記制御部は、受信したハンドオーバー命令メッセージに従ってＣＤＭＡチャンネルを設定し、前記ＣＤＭＡセルに同期を合わせるように制御してもよい。
【００１７】
また、本発明に係る移動通信端末機における前記制御部は、前記ＣＤＭＡセルに同期を合わせた後にハンドオーバー終了メッセージをＢＳＣに伝送するように制御してもよい。
【発明の効果】
【００１８】
本発明に係るＷＣＤＭＡ網からＣＤＭＡ網へのハンドオーバー方法は、以上のように、ＣＤＭＡセルにＷＣＤＭＡビーコンセルを設け、移動通信端末機がＷＣＤＭＡビーコンセルのパワー測定を介してＣＤＭＡセルのパワーを間接的に測定することにより、呼接続を切断することなく、ＷＣＤＭＡ網からＣＤＭＡ網へのハンドオーバーを効果的に行うことができる。
【発明を実施するための最良の形態】
【００１９】
以下では、本発明の実施の形態について、図を参照して詳しく説明する。
【００２０】
図１は、本発明の実施の形態に係るＷＣＤＭＡ網からＣＤＭＡ網へのハンドオーバー方法を示すフローチャートである。
【００２１】
ＣＤＭＡ網（code division multiple access、符号分割多重接続）はＢＴＳ（Base Transceiver Station、基地局）（図示省略）、ＢＳＣ（Base Station Controller、基地局制御機）２０等で構成され、ＷＣＤＭＡ網(wideband code division multiple access、広帯域符号分割多重接続)はNode Ｂ（基地局）（図示省略）、ＲＮＣ（Radio Network Controller、無線ネットワーク制御機）４０等で構成される。
【００２２】
図１に示されているように、ＲＮＣ４０がＲＮＣ４０に属するＷＣＤＭＡセルとビーコン（beacon）セルに対するセルパワー測定を命令する測定制御メッセージ（Measurement Control Message、ＭＣＭ）を移動通信端末機５０に伝送する（Ｓ１００）。
【００２３】
測定制御メッセージは、測定ＩＤ（Measurement Identity）、測定命令（Measurement Command）、測定レポートモード（Measurement Report Mode）、付加測定リスト（Additional Measurements List）、測定タイプ選択（Choice Measurement Type）等の部分で構成される。測定タイプ選択部分は測定する種類に従い周波数内測定（Intra-frequency measurement）、周波数間測定（Inter-frequency measurement）、ＲＡＴ間測定（Inter-RAT measurement）等で構成される。また、測定制御メッセージは各測定タイプに従い、必要なセルコード情報、伝送パワー、セルＩＤ等を含む。
【００２４】
ＲＮＣ４０は測定制御メッセージを伝送するとき、前記ビーコンセルの第１スクランブリングコード（Primary Scrambling Code、Ｐ−ＳＣＲ）情報を含んで移動通信端末機５０がビーコンセルのセルパワーを測定することができるようにする。
【００２５】
前記ビーコンセルの基地局はＣＤＭＡセルの基地局に位置するのが好ましい。
【００２６】
前記ビーコンセルは前記ＣＤＭＡセルと同一のセルパワーで伝送するのが好ましい。
【００２７】
前記ビーコンセルの基地局がＣＤＭＡセルの基地局に位置するので、移動通信端末機５０が前記ビーコンセルのセルパワーを測定することにより、ＣＤＭＡセルのセルパワーを推定することができる。
【００２８】
ビーコンセルは第１共通パイロットチャンネル（Primary Common Pilot Channel、ＰＣＰＩＣＨ）、第１シンクチャンネル（Primary Sync Channel、ＰＳＣＨ）、第２シンクチャンネル（Secondary Sync Channel、ＳＳＣＨ）及び第１共通制御物理チャンネル（Primary Common Control Physical Channel、ＰＣＣＰＣＨ）を伝送するのが好ましい。
【００２９】
前記チャンネル等はＷＣＤＭＡ網で用いられるチャンネルである。第１シンクチャンネル及び第２シンクチャンネルは、移動通信端末機５０が最初に獲得しなければならない基本的な同期情報を有するチャンネルであって、ＷＣＤＭＡセルのスクランブリングコード（Scrambling Code）を確認するために必要なチャンネルである。第１共通パイロットチャンネルは、ＷＣＤＭＡセルのスクランブリングコード（Scrambling Code）を確認した後受信可能な同期情報を有するチャンネルであって、他のチャンネル等の同期の基準となる。第１共通制御物理チャンネルは、セルまたはシステムに対するブロードキャスティング情報を移動通信端末機５０に伝送するチャンネルである。
【００３０】
移動通信端末機５０が前記ＷＣＤＭＡセル及びビーコンセルに対するセルパワーを測定した後（Ｓ１１０）、測定レポートメッセージ（Measurement Report Message、ＭＲＭ）をＲＮＣ４０に伝送する（Ｓ１２０）。
【００３１】
測定レポートメッセージは測定ＩＤ（Measurement Identity）、測定結果（Measured Results）、付加測定結果（Additional Measured Results）等の部分で構成される。前記測定結果は、測定する種類に従い、周波数内の測定結果（Intra-frequency measured results）、周波数間の測定結果（Inter-frequency measured results）、ＲＡＴ間の測定結果（Inter-RAT measured results）等から構成される。各測定結果はセルＩＤ、セル同期情報（Cell synchronization information）、Ｅｃ／Ｎｏ、ＲＳＣＰ（Received Signal Code Power）、Delta＿ＲＳＣＰ、経路減殺（Pathloss）等を含む。
【００３２】
ＲＮＣ４０が前記伝送された測定レポートのセルパワー情報であるＲＳＣＰ（Received Signal Code Power）またはＳＮＲ（Signal to Noise Ratio）を分析してこれ以上受信可能なＷＣＤＭＡセルが存在しない場合、ＣＤＭＡセルへのハンドオーバーを決定する（Ｓ１３０）。ＣＤＭＡセルへのハンドオーバーを決定するアルゴリズムはシステム企業及びサービス事業者の選択事項である。
【００３３】
ＲＮＣ４０がＢＳＣ２０にチャンネル設定を求める（Ｓ１４０）。
【００３４】
ＢＳＣ２０が該当ＢＴＳに特定チャンネルを設定した後、チャンネル設定情報をＲＮＣ４０に伝送する（Ｓ１５０）。
【００３５】
ＲＮＣ４０がＢＳＣ２０から受けた情報をハンドオーバー命令メッセージ（Handover From UTRAN Command）を介し移動通信端末機５０に伝送する（Ｓ１６０）。
【００３６】
ハンドオーバー命令メッセージは、パイロットＰＮシーケンスオフセットインデクス（Pilot PN sequence offset index）、ＣＤＭＡチャンネル割当情報（CDMA channel assignment）等移動通信端末機がＣＤＭＡ ＢＴＳの信号を受信するに必要な各種情報を含む。
【００３７】
移動通信端末機５０は前記ハンドオーバー命令メッセージに従いＣＤＭＡチャンネルを設定し、前記ＣＤＭＡセルに同期を合わせる（Ｓ１７０）。
【００３８】
移動通信端末機５０が同期を合わせた後、ハンドオーバー終了メッセージ（Handover Complete Message、ＨＣＭ）をＢＳＣ２０に伝送する（Ｓ１８０）。
【００３９】
ハンドオーバー終了メッセージには、ＣＤＭＡチャンネル設定及びＣＤＭＡセルの同期獲得過程が正しく行われたのかの可否に対する情報が含まれる。
【００４０】
ハンドオーバー終了メッセージをＢＳＣ２０が受信することによりハンドオーバー過程は完了し、移動通信端末機５０はＣＤＭＡ網で動作することになる。
【００４１】
図２は、本発明の実施の形態に係るＷＣＤＭＡ網からＣＤＭＡ網へのハンドオーバーを行う移動通信端末機を示すブロック図である。
【００４２】
図２に示されているように、移動通信端末機５０はＷＣＤＭＡ送／受信部１００とＣＤＭＡ送／受信部１１０と制御部１２０とを含む。
【００４３】
ＷＣＤＭＡ送／受信部１００及びＣＤＭＡ送／受信部１１０は、各々ＲＦ送／受信部１３０・１６０と、セル探索部１４０・１７０と、フィンガー部１５０・１８０とを含む。
【００４４】
ＷＣＤＭＡ送／受信部１００は、ＣＤＭＡセルに位置するビーコンセルに対するセルパワーを測定することができる。
【００４５】
制御部１２０は、ＷＣＤＭＡ送／受信部１００及びＣＤＭＡ送／受信部１１０を制御し、ＷＣＤＭＡセルとビーコンセルに対するセルパワー測定を命令する測定制御メッセージに従ってセルパワーを測定する段階と、ＷＣＤＭＡセル及びビーコンセルに対するセルパワーを測定した後に測定レポートメッセージをＲＮＣ４０に伝送する段階と、移動通信端末機５０がハンドオーバー命令メッセージに従ってＣＤＭＡチャンネルを設定し、ＣＤＭＡセルに同期を合わせる段階と、移動通信端末機５０が同期を合わせた後にハンドオーバー終了メッセージをＢＳＣ２０に伝送する段階とを行うようにする。
【００４６】
なお、本発明について、好ましい実施の形態について説明したが、これらの実施の形態は、例を示すことを目的として開示したものであり、当業者であれば、本発明に係る技術思想の範囲内で、多様な改良、変更、付加等が可能である。このような改良、変更等も、特許請求の範囲に記載した本発明の技術的範囲に属することは言うまでもない。
【産業上の利用可能性】
【００４７】
本発明のハンドオーバー方法は、呼接続を切断することなくＷＣＤＭＡ網からＣＤＭＡ網へのハンドオーバーを効果的に行うことができるため、様々な移動通信端末機に適用することができる。例えば、携帯電話機等に利用可能である。
【図面の簡単な説明】
【００４８】
【図１】本発明の実施の形態に係るＷＣＤＭＡ網からＣＤＭＡ網へのハンドオーバー方法を示すフローチャートである。
【図２】本発明の実施の形態に係るＷＣＤＭＡ網からＣＤＭＡ網へのハンドオーバーを行う移動通信端末機を示すブロック図である。
【符号の説明】
【００４９】
２０      ＢＳＣ
４０      ＲＮＣ
５０      移動通信端末機                
１００    ＷＣＤＭＡ送／受信部
１１０    ＣＤＭＡ送／受信部            
１２０    制御部
１３０    ＷＣＤＭＡ ＲＦ送／受信部    
１４０    ＷＣＤＭＡセル探索部
１５０    ＷＣＤＭＡフィンガー部      
１６０    ＣＤＭＡ ＲＦ送／受信部
１７０    ＣＤＭＡセル探索部          
１８０    ＣＤＭＡフィンガー部
【図１】
2007135188.tif 000003
【図２】
2007135188.tif 000004